(57)【特許請求の範囲】
【請求項１】
有料道路の利用者が料金を支払うための料金自動収受機であって、
前記有料道路の脇に設置される設備本体部と、
前記有料道路に向けて突出するようにして前記設備本体部に取り付けられる突出本体部と、
前記設備本体部に対して前記突出本体部を脱着自在に連結する第１及び第２連結手段と
を有し、
前記第１連結手段は、
前記設備本体部の横方向の保持力よりも大きい上下方向の保持力によって前記突出本体部を前記設備本体部に対して連結し、
前記第２連結手段は、
前記設備本体部又は前記突出本体部のいずれか一方側に設けられて、前記横方向の少なくとも一端が開放され、かつ上下側に開口された凹部を有する受け部材と、
前記設備本体部又は前記突出本体部の他方側に設けられて、前記受け部材の凹部に対して上下方向から係合する係合部材とを備え、手前側に加わる力に対して前記係合部材を保持する
ことを特徴とする料金自動収受機。
【請求項２】
前記第１連結手段は、
前記設備本体部又は前記突出本体部のいずれか一方側に設けられて、前記設備本体部と前記突出本体部の配列方向に突出する突起部と、
前記設備本体部又は前記突出本体部の他方側に設けられて、前記突起部を上下方向から挟んで保持する保持部材と
を備えることを特徴とする請求項１に記載の料金自動収受機。
【請求項３】
前記設備本体部と前記突出本体部との間に配置されて、互いの嵌合によって前記設備本体部に対して前記突出本体部を連結する凹状嵌合部及び凸状嵌合部を備えることを特徴とする請求項１又は請求項２に記載の料金自動収受機。
【請求項４】
前記凹状嵌合部及び凸状嵌合部は、いずれか一方が磁石により形成され、他方が前記磁石に結合される金属により形成されていることを特徴とする請求項３に記載の料金自動収受機。
【請求項５】
前記設備本体部が、金銭の収納及び払い出しを行う収受機本体であって、
前記突出本体部が、前記収受機本体の前部に取り付けられて金銭を受け入れる金銭受入部を備えることを特徴とする請求項１から請求項４のいずれか一項に記載の料金自動収受機。
【請求項６】
前記突出本体部が、管理者を呼び出すための呼出レバーを備えることを特徴とする請求項１から請求項５のいずれか一項に記載の料金自動収受機。
【請求項７】
前記係合部材は、
前記設備本体部又は前記突出本体部の他方側に設けられた支持ロッドと、
該支持ロッドに対して、先端位置を上下に対して変更することができるように螺合された係合ピンと
を有することを特徴とする請求項１から請求項５のいずれか一項に記載の料金自動収受機。
【発明の詳細な説明】
【技術分野】
【０００１】
本発明は、有料道路の料金所に設置される料金自動収受機に関する。
【背景技術】
【０００２】
高速道路や駐車場の料金所などに、自動車の運転者から料金を受け取るための料金自動
収受機が設置されている。
この料金自動収受機は、料金収受員を不要とし、運転手からの通行料金の支払いを受け付け、さらに釣銭の自動払い出しを行うものである。
この種の料金自動収受機として、特許文献１（特開平6‐３１４３６１号公報）に示される技術が知られている。この料金自動収受機は、金銭（硬貨、紙幣）の収納及び払い出しを行う収受機本体と、この収受機本体の前部に取り付けられた金銭受入部及び釣銭返却口とを具備するものであって、金銭受入部及び釣銭返却口を通じて金銭の授受が行われるようになっている。
なお、金銭受入部は、車両用道路側に突出するように設けられるものである。
【特許文献１】特開平６−３１４３６１号公報
【発明の開示】
【発明が解決しようとする課題】
【０００３】
ところで、上述した料金自動収受機では、収受機本体の前面に、連結手段を介して金銭受入部が固定されている。これら収受機本体と金銭受入部とを連結する連結手段は、例えば、金銭受入部の背面に固定された突起部と、収受機本体に設けられてこの突起部を上下方向から挟む一対のボールキャッチとから構成され、この突起部を、一対のボールキャッチの間隙に出し入れすることによって、収受機本体に対して金銭受入部の取り付け、取り外しが行われるものである。そして、このようなボールキャッチ及び突起部を用いた連結方式では、自動車が金銭受入部に側方（横方向）から接触した場合に、突起部がボールキャッチから容易に外れるようになっている。すなわち、連結手段は、自動車の側方からの接触に際して外れ易い構造となっており、これによって自動車と金銭受入部とが接触した際の衝撃が、自動車や収受機本体に及ぶことを防止している。
なお、上述した一対のボールキャッチ及び突起部からなる連結手段は、収受機本体と金銭受入部の背面との間に合計４組設置され、これら４組の連結手段によって、収受機本体に対する金銭受入部の位置決めと固定との双方を行うようにしている。
【０００４】
しかしながら、突起部とこれを上下から挟む一対のボールキャッチとからなる連結手段では、４箇所あるボールキャッチに対して突起部を正確に位置させた上で、突起部をボールキャッチの隙間に押し込まなければならず、収受機本体に対する金銭受入部の取り付けが面倒であるという問題がある。
また、ボールキャッチが突起部を上下から挟むという連結手段によって、金銭受入部を収受機本体に取り付ける方式であるので、金銭受入部に対して横方向以外の外力が加わった場合（収受機本体から金銭受入部を剥がそうとする外力で、例えば運転手などが金銭受入部に手をかけるなどして、金銭受入部に対して上下方向及び手前側に力が加わった場合等）であっても、容易に金銭受入部が外れてしまうという問題がある。
すなわち、例えば料金自動収受機において、設備本体部に対する突出本体部の位置決めが面倒であり、突出本体部に上下方向及び手前側に力が加わった場合に突出本体部が容易に外れてしまうという問題がある。
【０００５】
本発明は、このような事情に鑑みてなされたものであって、利用者が操作しやすいように突出させた部品（以下突出本体部）を設備本体部に取り付ける際の位置合わせを簡単に行うことができるとともに、突出本体部に対して横方向の外力が加わった場合に、突出本体部を設備本体部から外れ易くするという機能を保持しつつ、それ以外の外力に対して突出本体部を設備本体部から容易に外れることを防止する料金自動収受機を提供することを目的とする。
【課題を解決するための手段】
【０００６】
そして、上記目的を達成するために本発明の課題解決手段では、有料道路の利用者が料金を支払うための料金自動収受機であって、前記有料道路の脇に設置される設備本体部と、前記有料道路に向けて突出するようにして前記設備本体部に取り付けられる突出本体部と、前記設備本体部に対して前記突出本体部を脱着自在に連結する第１及び第２連結手段とを有し、前記第１連結手段は、前記設備本体部の横方向の保持力よりも大きい上下方向の保持力によって前記突出本体部を前記設備本体部に対して連結し、前記第２連結手段は、前記設備本体部又は前記突出本体部のいずれか一方側に設けられて、前記横方向の少なくとも一端が開放され、かつ上下側に開口された凹部を有する受け部材と、前記設備本体部又は前記突出本体部の他方側に設けられて、前記受け部材の凹部に対して上下方向から係合する係合部材とを備え、手前側に加わる力に対して前記係合部材を保持することを特徴とする。
【０００７】
上記構成の料金自動収受機では、第２連結手段における受け部材の凹部に係合部材を係合させた状態で、第１連結手段によって突出本体部を支持させることによって、設備本体部に対する突出本体部の取り付けが行われる。そして、この第２連結手段では、受け部材の凹部に係合部材を係合させることで、突出本体部を設備本体部に対して保持する構成であるので、突出本体部に対して、これを剥がそうとする外力、例えば人間が突出本体部に手をかけるなどして、上下方向及び手前側に力が加わったとしても、係合部材が凹部に係合されることによって、突出本体部が設備本体部から外れることが防止され、突出本体部を安定して設備本体部に保持させることができる。
また、この第２連結手段では、凹部に係合部材を係合させるだけで、前述した設備本体部に対する突出本体部の位置決め及び保持の双方を容易に行わせることができる。
また、凹部は、上下側に開口されるとともに、横方向の少なくとも一端に対しても開放された構造であるので、自動車が突出本体部に側方（横方向）から接触したとしても、凹部に係合された係合部材が、この開放された一端を通じて外れることにより、突出本体部が設備本体部から脱落することになり、自動車と突出本体部とが接触した際の衝撃が、自動車や設備本体部に及ぶことが防止される。
【０００８】
また、本発明の料金自動収受機では、前記第１連結手段は、前記設備本体部又は前記突出本体部のいずれか一方側に設けられて、前記設備本体部と前記突出本体部の配列方向に突出する突起部と、前記設備本体部又は前記突出本体部の他方側に設けられて、前記突起部を上下方向から挟んで保持する保持部材とを備えることを特徴とする。
【０００９】
上記構成の料金自動収受機では、第１連結手段において、設備本体部と突出本体部の配列方向に向けて突出する突起部を、保持部材によって上下方向から挟んで拘束することで支持するようにしたので、突起部を保持部材に押し込むだけで、突起部が保持部材に容易に保持され、設備本体部に対する突出本体部の取り付け作業を簡単に行うことができる。
また、第１連結手段は、保持部材によって、横方向よりも大きい上下方向からの保持力によって突起部を脱着自在に支持する構成であるので、自動車が突出本体部に側方（横方向）から接触したとしても、突起部が保持部材から容易に外れることで、第２連結手段の場合と同様に、突出本体部が設備本体部から脱落することになり、自動車と突出本体部とが接触した際の衝撃が、自動車や設備本体部に及ぶことが防止される。
【００１０】
また、本発明の料金自動収受機では、前記設備本体部と前記突出本体部との間に配置されて、互いの嵌合によって前記設備本体部に対して前記突出本体部を連結する凹状嵌合部及び凸状嵌合部を備えることを特徴とする。
【００１１】
上記構成の料金自動収受機では、設備本体部と突出本体部との間に、互いに嵌合される凹状嵌合部及び凸状嵌合部が設けられていることから、これら凹状嵌合部及び凸状嵌合部によって、設備本体部に対する突出本体部の位置決めを行うことができるとともに、突出本体部の保持力を補強することができる。
【００１２】
また、本発明の料金自動収受機では、前記凹状嵌合部及び凸状嵌合部は、いずれか一方が磁石により形成され、他方が前記磁石に結合される金属により形成されていることを特徴とする。
【００１３】
上記構成の料金自動収受機では、上記凹状嵌合部及び凸状嵌合部について、いずれか一方が磁石により形成され、かつ他方が金属により形成されているので、これら凹状嵌合部及び凸状嵌合部による突出本体部の位置決めとともに、磁石と金属との結合によって設備本体部と突出本体部との連結も可能であり、突出本体部を設備本体部に対して安定的に支持させることができる。
【００１４】
また、本発明の料金自動収受機では、前記設備本体部が、金銭の収納及び払い出しを行う収受機本体であって、前記突出本体部が、前記収受機本体の前部に取り付けられて金銭を受け入れる金銭受入部を備えることを特徴とする。
また、本発明の料金自動収受機では、前記突出本体部が、管理者を呼び出すための呼出レバーを備えることを特徴とする。
また、本発明の料金自動収受機では、前記係合部材は、前記設備本体部又は前記突出本体部の他方側に設けられた支持ロッドと、該支持ロッドに対して、先端位置を上下に対して変更することができるように螺合された係合ピンとを有することを特徴とする。
【発明の効果】
【００１５】
本発明の料金自動収受機では、突出本体部を設備本体部に取り付ける際の位置合わせを簡単に行うことができるとともに、突出本体部に対して横方向の外力が加わった場合に該前面パネルを設備本体部から外れ易くするという機能を保持しつつ、それ以外の外力に対して該前面パネルを設備本体部から容易に外れることを防止できる効果がある。
【発明を実施するための最良の形態】
【００１６】
以下に、本発明に係る料金自動収受機を説明する。
図１は料金自動収受機１００の正面図である。
料金自動収受機１００は、金銭の収納及び払い出しを行う直方体形状の収受機本体（設備本体部）２を備えている。
収受機本体２は、その前面が有料道路に沿って延びるようにして設置されるものである。
収受機本体２の前面には、不図示の硬貨収容部に連通する硬貨投入口５が形成されている。そして、硬貨投入口５の開口部を覆うようにして、金銭受入部（突出本体部）１が収受機本体２の前面に取り付けられている。
金銭受入部１は、運転者などの支払い者から硬貨を受け入れて、それら硬貨を硬貨投入口５へと案内するためのものである。この金銭受入部１は、収受機本体２の前面から有料道路に突出するようにして、収受機本体２の前面に、連結手段１１，１２（後述する）を介して着脱可能に取り付けられている。
【００１７】
また、収受機本体２の前面には、通行券が挿入される通行券挿入口３と、料金を表示する料金表示部４と、釣銭を返却するための釣銭返却口６とが設けられている。また、収受機本体２の前面には、紙幣が挿入される紙幣挿入口７と、紙幣を返却するための紙幣返却口８と、領収書の発行指示を受け付ける領収書発行ボタン９と、領収書を外方に送り出す領収書発行口１０とが設けられている。そして、これら各口３〜１０を通じて収受機本体２に対して金銭の収受、通行券・領収書のやり取りが行われる。
【００１８】
このような料金自動収受機１００は、前面側に停車した車の運転手などにより、通行券挿入口３に通行券が挿入されたとき、その通行券の磁気情報に基づき車種、通行距離に応じた料金を計算して、料金表示部４に表示する。そして、運転手は、この料金表示部４の料金表示に従って、硬貨投入口５及び紙幣挿入口７に金銭を投入する。すると、収受機本体２は、投入された金銭を計数し、この計数結果と先の料金との差額に基づき、釣銭がある場合には、その釣銭を釣銭返却口６及び紙幣返却口８から返却する。
【００１９】
次に、図２〜図６を参照して、収受機本体２の硬貨投入口５と、金銭受入部１との間に設けられて、これら収受機本体２に対して金銭受入部１を脱着自在となるように連結する第１連結手段１１及び第２連結手段１２について説明する。
【００２０】
第１連結手段１１は、図２〜図４に示されるように、金銭受入部１の裏面に設けられた突起部１３と、収受機本体２の前面に設けられて突起部１３を上下方向から支持する保持部材１４とを備えている。
突起部１３は、金銭受入部１の裏面の下端部に設けられており、幅方向（収受機本体２の横方向、図２で示すＣ−Ｄ方向）の両端部に一つずつ設けられている。また、突起部１３は、金銭受入部１の裏面に対してほぼ垂直に延ばされ、すなわち、金銭受入部１と収受機本体２との配列方向（矢印Ａ−Ｂ方向）である矢印Ｂ方向に突出するように配置されたものである。さらに、突起部１３は、その基端部１３Ａに対して、先端部が上下側に膨らんだ球形状（この部分を球状部１３Ｂとする）に形成されている。
【００２１】
また、保持部材１４は、突起部１３に対向させて一組設けられている。また、保持部材１４は、図４に示すように、上下に間隔をおいて配置された一対の収納部１４Ａと、これら収納部１４Ａ内に収納された一対のボールキャッチ１４Ｂと、これら各収納部１４Ａ内にそれぞれ設けられて、収納部１４Ａ内のボールキャッチ１４Ｂを互いに近接する方向に付勢する圧縮ばね１４Ｃとを備えている。
ボールキャッチ１４Ｂは、収納部１４Ａの先端から突出する突出位置と、収納部１４Ａ内に収納される収納位置との間で往復動可能に支持されている。
そして、突起部１３の球状部１３Ｂを、ボールキャッチ１４Ｂの間において矢印Ｂ方向に進行させると、球状部１３Ｂによって各ボールキャッチ１４Ｂが、圧縮ばね１４Ｃの付勢力に抗して収納部１４Ａ内に没する方向（互いに離間する方向）に移動し、各ボールキャッチ１４Ｂ間を通り抜ける。すると、各ボールキャッチ１４Ｂは、圧縮ばね１４Ｃの付勢力により、突出位置に戻されて、基端部１３Ａに当接する。これにより、保持部材１４は、突起部１３が矢印Ａ側に抜けないように、基端部１３Ａを上下方向から押圧、支持する。
【００２２】
一方、突起部１３が支持された状態で、収受機本体２から金銭受入部１を矢印Ａ方向に離間させると、突起部１３の球状部１３Ｂが、ボールキャッチ１４Ｂの間を通り抜けて矢印Ａ方向へ移動する。これにより、突起部１３が保持部材１４から取り外される。
なお、保持部材１４では、横方向（図２に矢印Ｃ−Ｄで示す方向）の保持力よりも大きい上下方向からの保持力によって、ボールキャッチ１４Ｂが突起部１３を脱着自在に支持するように、圧縮ばね１４Ｃの弾性力が調整されている。
【００２３】
第２連結手段１２は、図２、図３及び図５に示されるように、金銭受入部１の裏面に設けられた係合部材１６と、収受機本体２の前面に設けられた受け部材１５とを備えている。
受け部材１５は、収受機本体２の前面に横方向Ｃ−Ｄに配列されて一対設けられている。そして、受け部材１５は、横方向Ｃ−Ｄの両端が開放されており、かつ上側に開口された凹部１５Ａを有している。すなわち、凹部１５Ａは、下側に没して上端が開口されている。
【００２４】
また、係合部材１６は、金銭受入部１の裏面の上端から、ほぼ垂直（金銭受入部１の取付け時には、矢印Ｂ方向に突出する方向）となるように曲線状に延ばされた支持ロッド１６Ａと、この支持ロッド１６Ａの先端部において、支持ロッド１６Ａに対して垂直（金銭受入部１の取付け時には上下方向）となるように螺合された係合ピン１６Ｂとを備えている。
これら係合ピン１６Ｂは、図５に示すように、上方から下方に向けて凹部１５Ａ内に係合され、これによって金銭受入部１が前方側（図５に矢印Ｅで示す）へ外れることを防止する。
また、作業者の操作により、支持ロッド１６Ａに対する係合ピン１６Ｂの螺合位置を変更することによって、支持ロッド１６Ａから係合ピン１６Ｂが下方に突出する突出寸法を変更することができる。そのため、係合ピン１６Ｂが受け部材１５に接する先端位置を上下に対して変更することができ、収受機本体２に対する金銭受入部１の取り付け状態を適宜、調整することができる。
【００２５】
一方、収受機本体２及び金銭受入部１の間には、互いに横方向Ｃ−Ｄ方向に配列された一対の嵌合部材２０が設けられている。これら各嵌合部材２０は、図４に示されるように、金銭受入部１の裏面に設けられて、内部に磁石２１Ａを有する凸状嵌合部２１と、収受機本体２の前面に設けられて、磁性体により形成される凹状嵌合部２２とを備えている。
凸状嵌合部２１は、凹状嵌合部２２内に嵌合されるようになっており、凸状嵌合部２１と凹状嵌合部２２とを嵌合させると、凸状嵌合部２１の磁石２１Ａの磁力により、磁性体である凹状嵌合部２２が吸引され、凸状嵌合部２１と凹状嵌合部２２とが互いに結合される。
なお、これら嵌合部材２０は、収受機本体２に金銭受入部１を取り付けるに際して、収受機本体２に対する金銭受入部１の位置決め及び固定保持の役割がある。
【００２６】
以上のような料金自動収受機１００において、以下のようにして、金銭受入部１が収受機本体２に取り付けられる。
まず、図５に示すように、受け部材１５の凹部１５Ａに、係合ピン１６Ｂを上方側から係合させることにより、収受機本体２に対して金銭受入部１を位置決め固定する。
【００２７】
次に、保持部材１４にその突起部１３を支持させる。すなわち、図６に示すように、突起部１３の球状部１３Ｂを、保持部材１４のボールキャッチ１４Ｂの間に矢印Ｂ方向へ向けて押し込むようにすると（図６（Ａ）参照）、圧縮ばね１４Ｃの付勢力に抗して、ボールキャッチ１４Ｂが互いに離れる方向に移動しつつ、突起部１３の球状部１３Ｂが矢印Ｂ方向側に移動することを許容する（図６（Ｂ）参照）。さらに、突起部１３の球状部１３Ｂが、ボールキャッチ１４Ｂを通過して矢印Ｂ方向に通り抜けた場合には、圧縮ばね１４Ｃの復帰によって、先のボールキャッチ１４Ｂが互いに近接する側に移動し、これによって突起部１３が矢印Ａ側に抜けないように突起部１３の基端部１３Ａを上下方向から押圧する（図６（Ｃ）参照）。
これにより、突起部１３が保持部材１４によって支持される。
【００２８】
また、収受機本体２に金銭受入部１を取り付けた場合、中間に設けられている嵌合部材２０の凹状嵌合部２２内に凸状嵌合部２１が嵌合される。このとき、これら凸状嵌合部２１及び凹状嵌合部２２の嵌合によって、金銭受入部１を収受機本体２に取り付ける際の位置決めがなされるとともに、凸状嵌合部２１の磁石２１Ａが、磁性体の凹状嵌合部２２に結合して互いの固定がなされる。
【００２９】
以上詳細に説明したように、上述した料金自動収受機１００では、受け部材１５の凹部１５Ａに係合部材１６を係合させることにより、収受機本体２に対する金銭受入部１の位置決め及び保持を行うことができる。そのため、図５に矢印Ｅで示すように、金銭受入部１に対して、これを剥がそうとする外力、例えば人間が金銭受入部１に手をかけるなどして上下方向や手前側に力が加わったとしても、凹部１５Ａへの係合部材１６の係合によって、凹部１５Ａの内壁が係合ピン１６Ｂを支持する。これにより、金銭受入部１が収受機本体２から外れることが防止され、金銭受入部１を安定して収受機本体２に保持させることができる。
また、受け部材１５の凹部１５Ａに係合部材１６を係合させるだけで、前述した収受機本体２に対する金銭受入部１の位置決め及び保持を容易に行うことができる。
また、受け部材１５の凹部１５Ａは、上側に開口されるとともに、左右方向の両端に対しても開放された構造であるので、自動車が金銭受入部１に側方（矢印Ｃ−Ｄ方向）から接触したとしても、凹部１５Ａに係合された係合部材１６が、この開放された両端部を通じて外れることで、金銭受入部１が収受機本体２から脱落することになり、自動車の接触による被害が、収受機本体２や自動車に及ぶことが防止される。
【００３０】
従って、上記料金自動収受機１００によれば、金銭受入部１を収受機本体２に取り付ける際の位置合わせを簡単に行うことができるとともに、金銭受入部１に対して横方向の外力が加わった場合に金銭受入部１を収受機本体２から外れ易くするという機能を保持しつつ、それ以外の外力に対して金銭受入部１を収受機本体２から容易に外れることを防止することが可能となる。
なお、金銭受入部１が収受機本体２から外れたときに、金銭受入部１が地表に衝突しないように、金銭受入部１と収受機本体２との間にこれらを連結する鎖、ワイヤなどの支持具（図示略）を設け、この支持具を介して、外れた金銭受入部１が、地表に衝突しないように収受機本体２に吊り下げるようにするとよい。
【００３１】
また、上記料金自動収受機１００によれば、第１連結手段１１において、収受機本体２と金銭受入部１の配列方向に向けて突出する突起部１３を、圧縮ばね１４Ｃで付勢力される保持部材１４のボールキャッチ１４Ｂによって上下方向から挟んで拘束することで支持するようにしたので、突起部１３を保持部材１４のボールキャッチ１４Ｂ内に押し込むだけで、突起部１３が、ボールキャッチ１４Ｂに容易に保持され、収受機本体２に対する金銭受入部１の取り付け作業を簡単に行うことができる。
【００３２】
また、上記料金自動収受機１００によれば、収受機本体２と金銭受入部１との間に、互いに嵌合される凸状嵌合部２１及び凹状嵌合部２２を設けたことから、これら凸状嵌合部２１及び凹状嵌合部２２の互いの嵌合によって、収受機本体２に対する金銭受入部１の位置決めを行うことができる。
【００３３】
また、上記料金自動収受機１００によれば、嵌合部材２０について、凸状嵌合部２１側に磁石２１Ａを設け、かつ他方の凹状嵌合部２２の磁性体の金属により形成したので、これら凸状嵌合部２１及び凹状嵌合部２２による金銭受入部１の位置決めとともに、磁石と金属との結合による、収受機本体２と金銭受入部１との連結も可能であり、金銭受入部１を収受機本体２に対して安定的に支持させることができる。
【００３４】
なお、上記実施形態において、第１連結手段１１では、金銭受入部１側に突起部１３を設け、収受機本体２側にこの突起部１３を支持する保持部材１４を設けるようにしたが、これに限定されず、収受機本体２側に突起部１３を設け、かつ金銭受入部１側に保持部材１４を設けてもよい。
また、第２連結手段１２では、収受機本体２側に受け部材１５を設け、金銭受入部１側に受け部材１５に係合される係合部材１６を設けるようにしたが、これに限定されず、金銭受入部１側に受け部材１５を設け、かつ収受機本体２側に係合部材１６を設けてもよい。
【００３５】
また、第２連結手段１２において、係合部材１６の係合ピン１６Ｂを係合させるための、受け部材１５の凹部１５Ａを上方側に開口するようにしたが、これに限定されず、下方側に開口するようにし、先の係合部材１６の係合ピン１６Ｂを、受け部材１５の凹部１５Ａに対して、下方側から係合させるようにしてもよい。
【００３６】
また、嵌合部材２０では、凸状嵌合部２１内に磁石２１Ａを設け、凹状嵌合部２２を磁性体により形成したが、これに限定されず、凹状嵌合部２２に磁石を設け、かつ凸状嵌合部２１を磁性体で形成してもよい。また、収受機本体２の前面に凸状嵌合部２１を設け、金銭受入部１の裏面に凹状嵌合部２２を設けたが、これに限定されず、金銭受入部１側に凸状嵌合部２１を設け、収受機本体２側に凹状嵌合部２２を設けてもよい。
また、上記実施形態では、収受機本体２の硬貨投入口５に、金銭受入部１を脱着する場合の例を示したが、これに限定されず、紙幣挿入口７が投入される箇所にも同様の構成の金銭受入部１を設けてもよい。
【００３７】
さらに、突出本体部として金銭受入部１が設けられているとしたが、これに代えて、又はこれとともに、他の突出本体部を設けることができる。例えば、図７に示すように、収受機本体２の前面に、有料道路に突出するようにして、呼出レバー（突出本体部）５０が設けられていてもよい。呼出レバー５０は、料金自動収受機１００の下方に押されるようになっている。すなわち、車両に乗った利用者が、呼出レバー５０を押し下げることにより、呼出レバー５０は、料金自動収受機１００の前に利用者が来たことを管理者に通知する。そして、管理者は、不図示のインターフォンを介して、利用者に応答する。このような呼出レバー５０は、特に腕が不自由な利用者にも操作性が高く、設置することが好ましい。
【００３８】
この呼出レバー５０は、図８に示すように、収受機本体２の幅方向に切り欠かれたスリット５３を有する本体部５１と、スリット５３内から配列方向（Ａ−Ｂ）に突出するレバー本体５２とを備えている。レバー本体５２は、収受機本体２の高さ方向Ｈに延びる回転軸線を中心として、スリット５３を介して回転するようになっている。これにより、車両がレバー本体２に接触しても、レバー本体５２が回転することにより、車両や収受機本体２に衝撃が伝わることが防止される。
また、本体部５１の裏面及び収受機本体２の前面には、図９に示すように、上述した連結手段１１，１２及び嵌合部材２０が設けられている。
このように、車両が呼出レバー５０に接触しても、レバー本体５２が回転したり、本体部５１が収受機本体２から横方向に取り外れることにより、車両や収受機本体２に衝撃が伝わることが防止される。さらに、レバー本体５２を押し下げるという通常の操作に対しては、保持力を強くすることができる。
なお、呼出レバー５０は、料金自動収受機１００だけでなく、例えば管理者を呼び出すための呼出機など有料道路に設置される他の設備に取り付けることができることは言うまでもない。
また、設備本体部として収受機本体２を例として説明し、突出本体部として金銭受入部１及び呼出レバー５０を例として説明したが、これらに限ることはなく、有料道路の脇に設置される設備本体部に、有料道路に突出するように取り付けられる突出本体部であれば、適宜適用可能である。
なお、本発明の技術範囲は上記の実施形態に限定されるものではなく、本発明の趣旨を逸脱しない範囲において、種々の変更を加えることが可能である。
【図面の簡単な説明】
【００３９】
【図１】本発明の実施形態となる料金自動収受機１００の正面図
【図２】収受機本体２に対する金銭受入部１（金銭受入部）の取り付け状態を示す斜視図
【図３】金銭受入部１を裏面側から見た斜視図
【図４】図２のＩＶ−ＩＶに沿う側断面図であって、第１連結手段１１及び嵌合部材２０の詳細を示す図
【図５】図２のＶ−Ｖに沿う側断面図であって、第２連結手段１２の詳細を示す図
【図６】第１連結部材１１の連結工程を示す図
【図７】図１の変形例を示す正面図
【図８】図１の呼出レバーの動作を示す説明図
【図９】図１の呼出レバーの取付の様子を示す説明図
【符号の説明】
【００４０】
１  金銭受入部（突出本体部）
２  収受機本体（設備本体部）
１１  第１連結手段
１２  第２連結手段
１３  突起部
１４  保持部材
１５  受け部材
１５Ａ  凹部
１６  係合部材
２０  嵌合部材
２１  凸状嵌合部
２２  凹状嵌合部
５０  呼出レバー（突出本体部）
【図１】
0005222060.tif 000002
【図２】
0005222060.tif 000003
【図３】
0005222060.tif 000004
【図４】
0005222060.tif 000005
【図５】
0005222060.tif 000006
【図６】
0005222060.tif 000007
【図７】
0005222060.tif 000008
【図８】
0005222060.tif 000009
【図９】
0005222060.tif 000010